(57)【要約】【課題】  フラットハーネスの配索方向の自由度を向上させつつ、車両などの被取付部材に容易にかつ迅速にフラットハーネスを取り付けることができ、しかも、異なる大きさのフラットハーネスに対して即座に対応できるフラットハーネス用固定具を提供すること。【解決手段】  略Ｖ字状に折り返し形成され、その双方の先部外側に返し部１３が形成された開閉可能な本体部１１と、本体部１１の内側に設けられ本体部１１を閉じた際にフラットハーネスＦを押圧させて支持させる板状のバネ部１２とを備えてフラットハーネス用固定具１を構成する。そして、被取付部材Ｗに設けられた係止孔ｗ１に、返し部１３同士が隣接されて構成された係止部１４を挿嵌して固定する。【選択図】        図３
2006166642.tif 000002
【特許請求の範囲】
【請求項１】
側面視略Ｕ字、略Ｖ字、又は略コ字状等の折り返し状に形成されると共に、開放された双方の先部近傍から内側に向かって階段状に形成され、その双方の先部外側に返し部が形成された開閉可能な本体部と、
前記本体部の基部から段差部までの内側に設けられ、前記本体部を閉じた際にフラットハーネスを押圧させて支持させる板状のバネ部とを備えてなり、
開状態の前記本体部の基部から段差部までの内側に前記フラットハーネスを位置させ、前記本体部を閉じることで、前記バネ部が前記フラットハーネスを押圧させて支持させると同時に、前記返し部同士が隣接されて、被取付部材に設けられた係止孔に挿通させて係止させる係止部が構成されることを特徴とするフラットハーネス用固定具。
【請求項２】
前記バネ部は、前記本体部の基部から段差部までの対峙する双方の内側に設けられてなり、前記バネ部同士で前記フラットハーネスを挟持させることを特徴とする請求項１記載のフラットハーネス用固定具。
【請求項３】
前記バネ部は、前記本体部の基部から段差部までの一方の内側に設けられてなり、その一方の内側と対峙する前記本体部の壁面と、前記バネ部とで、前記フラットハーネスを挟持させることを特徴とする請求項１記載のフラットハーネス用固定具。
【請求項４】
前記バネ部の前記フラットハーネスとの当接面が、前記フラットハーネスの形状に沿うような凹凸状に形成されていることを特徴とする請求項１〜３の何れか１項記載のフラットハーネス用固定具。
【請求項５】
前記一方の内側と対峙する前記本体部の壁面が、前記フラットハーネスの形状に沿うような凹凸状に形成されていることを特徴とする請求項３記載のフラットハーネス用固定具。
【請求項６】
前記被取付部材に当該フラットハーネス用固定具を係止させる前に、前記フラットハーネスにスライド可能に支持させた状態を維持させる仮固定部を備え、
前記仮固定部は、前記一方の先部近傍から内側に向かって突設された掛止部と、前記他方の先部近傍に設けられ該掛止部を挿通させて掛止させる掛止孔とを備えてなることを特徴とする請求項１〜５の何れか１項記載のフラットハーネス用固定具。
【請求項７】
前記被取付部材に、所定間隔をおいて前記係止孔を一つずつ穿設し、請求項１〜６の何れか１項記載のフラットハーネス用固定具を用いて前記フラットハーネスを支持し、前記係止部を前記係止孔に挿通して前記フラットハーネスを前記被取付部材に係止することを特徴とするフラットハーネス取付方法。
【発明の詳細な説明】
【技術分野】
【０００１】
この発明は、フラットハーネス用固定具と、そのフラットハーネス用固定具を用いたフラットハーネス取付方法に関する。
【背景技術】
【０００２】
昨今の自動車は、様々なエレクトロニクス設備を搭載したり、エンジン、メータ、ライト、安全装置などがエレクトロニクス制御されている。このようなエレクトロニクス設備やエンジン、メータ、ライト、安全装置などを正確に作動させるには、何百本もの高性能な配線部材が必要となっているが、その配線部材としては、例えば、コンピュータ等に用いられるフラットケーブルと同じ帯状に構成された多芯電線のフラットハーネスがある。
【０００３】
このフラットハーネスを自動車等の車両に取付ける手段としては、様々な手段があるが、例えば、フラットハーネス固定用クリップを用いて、所望の部位にフラットハーネスを取付ける先行技術がある。
【０００４】
この先行技術のフラットハーネス固定用クリップは、平板状の弾性板部材からなる押圧板部と、該押圧板部の両縁に一体的に形成され装着側のクリップ取付孔に係着される係合部と、前記押圧板部の前記係合部間に先端側を弾性変位可能に切り込み形成され前記フラットハーネスを前記押圧板部との間で挟持すべく形成される舌状の保持片とを有して構成されており、その使用方法として、第１の係合部を装置側の板部のクリップ取付孔に挿着係止し、その状態で保持片によりフラットハーネス５を挟持し、その後、押圧部材を薄肉部を基点として折り曲げ、第２の係合部を挿着側のクリップ取付孔である角孔内に係止するものである。このフラットハーネス固定用クリップを用いることで、フラットハーネスを装置側の所定位置に整然と、且つ容易に装着でき、構造簡単で安価に実施できる、としている（例えば特許文献１参照）。
【０００５】
【特許文献１】特開２００１−１６８５４９公報（第３頁、図５）
【発明の開示】
【発明が解決しようとする課題】
【０００６】
上記した先行技術のフラットハーネス固定用クリップは、その技術課題である所定位置に整然と、且つ容易に装着でき、構造簡単で安価に実施できるものと思料するが、しかしながら、いくつかの問題点を有している。
【０００７】
まず、フラットハーネス固定用クリップを車両に固定させるために、丸孔や角孔等の固定孔を車両に２箇所一組として複数箇所に設けなければならないことである。そのため固定孔の車両側穿設加工における手間や生産コストがかかる上、フラットハーネス固定用クリップを車両に取り付ける際の作業時間がかかってしまう。
【０００８】
また、先行技術のフラットハーネス固定用クリップは、車両等の板部を利用して、その板部とフラットハーネス固定用クリップとでフラットハーネスを挟み込む構成なので、車両等の板部と平行にしか固定することができず、その結果、配索の向きが限定されてしまう。
【０００９】
さらに、フラットハーネスの幅方向の両側部を保持片によって抑えているため、フラットハーネスの幅が単一種に制限されしまう。また、取り付けるフラットハーネスの幅が、固定孔によって自ずと限定されてしまうため、フラットハーネスの仕様変更（例えば固定孔の穿設寸法より幅広なフラットハーネスへの変更）があった場合、容易に対応することができない。
【００１０】
そこで本発明は、フラットハーネスの配索方向の自由度を向上させつつ、車両などの被取付部材に容易にかつ迅速にフラットハーネスを取り付けることができ、しかも、異なる大きさのフラットハーネスに対して即座に対応できるフラットハーネス用固定具と、そのフラットハーネス用固定具を用いたフラットハーネス取付方法を提供することを目的とする。
【課題を解決するための手段】
【００１１】
上記課題を解決するために、本発明にかかるフラットハーネス用固定具と、そのフラットハーネス用固定具を用いたフラットハーネス取付方法は下記の技術的手段を講じた。
すなわち請求項１にかかるフラットハーネス用固定具は、側面視略Ｕ字、略Ｖ字、又は略コ字状等の折り返し状に形成されると共に、開放された双方の先部近傍から内側に向かって階段状に形成され、その双方の先部外側に返し部が形成された開閉可能な本体部と、前記本体部の基部から段差部までの内側に設けられ、前記本体部を閉じた際にフラットハーネスを押圧させて支持させる板状のバネ部とを備えてなり、開状態の前記本体部の基部から段差部までの内側に前記フラットハーネスを位置させ、前記本体部を閉じることで、前記バネ部が前記フラットハーネスを押圧させて支持させると同時に、前記返し部同士が隣接されて、被取付部材に設けられた係止孔に挿通させて係止させる係止部が構成されることを特徴とする。
請求項２にかかるフラットハーネス用固定具は、請求項１において、前記バネ部は、前記本体部の基部から段差部までの対峙する双方の内側に設けられてなり、前記バネ部同士で前記フラットハーネスを挟持させることを特徴とする。
請求項３にかかるフラットハーネス用固定具は、請求項１において、前記バネ部は、前記本体部の基部から段差部までの一方の内側に設けられてなり、その一方の内側と対峙する前記本体部の壁面と、前記バネ部とで、前記フラットハーネスを挟持させることを特徴とする。
請求項４にかかるフラットハーネス用固定具は、請求項１〜３の何れかにおいて、前記バネ部の前記フラットハーネスとの当接面が、前記フラットハーネスの形状に沿うような凹凸状に形成されていることを特徴とする。
請求項５にかかるフラットハーネス用固定具は、請求項３において、前記一方の内側と対峙する前記本体部の壁面が、前記フラットハーネスの形状に沿うような凹凸状に形成されていることを特徴とする。
請求項６にかかるフラットハーネス用固定具は、請求項１〜５の何れかにおいて、前記被取付部材に当該フラットハーネス用固定具を係止させる前に、前記フラットハーネスにスライド可能に支持させた状態を維持させる仮固定部を備え、前記仮固定部は、前記一方の先部近傍から内側に向かって突設された掛止部と、前記他方の先部近傍に設けられ該掛止部を挿通させて掛止させる掛止孔とを備えてなることを特徴とする。
請求項７にかかるフラットハーネス取付方法は、前記被取付部材に、所定間隔をおいて前記係止孔を一つずつ穿設し、請求項１〜６の何れか１項記載のフラットハーネス用固定具を用いて前記フラットハーネスを支持し、前記係止部を前記係止孔に挿通して前記フラットハーネスを前記被取付部材に係止することを特徴とする。
【発明の効果】
【００１２】
本発明によれば、開状態の本体部の内側にフラットハーネスをセットし本体部を閉じるだけで、バネ部がフラットハーネスを支持し、さらに、被取付部材に穿設した一つの係止孔に係止部を挿嵌するだけでフラットハーネス用固定具が被取付部材に固定するから、車両などの被取付部材に容易にかつ迅速にフラットハーネスを取り付けることができる。しかも、一つの係止孔のみでフラットハーネス用固定具を支持するから、係止孔の穿設加工における手間や生産コストが低減できる。
【００１３】
また、車両等の被取付部材を利用してフラットハーネスを挟み込む形式と違い、フラットハーネス用固定具内でフラットハーネスを挟み込むから、配索の向きが限定されることなく、任意の向きで配索を行うことができ、フラットハーネスの幅が単一種に制限されることなく、幅の異なるフラットハーネスでも容易に対応できる。
【００１４】
さらに、例えば、固定孔の穿設寸法より幅広なフラットハーネスへの仕様変更が生じた場合でも、係止孔を新たに穿設することなく、適応したフラットハーネス用固定具を用いるだけで容易に対応することができる。
【発明を実施するための最良の形態】
【００１５】
次に、本発明にかかるフラットハーネス用固定具の実施の形態を、図面を参照しながら説明する。なお、図中、符号１〜３は、フラットハーネス用固定具を示す。
【００１６】
（実施の形態１）
実施の形態１にかかるフラットハーネス用固定具１は、本体部１１と、バネ部１２とを備え、合成樹脂部材で一体成形されてなる。
【００１７】
本体部１１は、図１に示すように、開放端部側が先細状の平面視略矩形状に形成されると共に、図２示すように、側面視略Ｖ字状に折り返し形成され、そのＶ字状の開放された双方の先部は、その近傍から内側に向かって階段状に形成され、さらに、その双方の先部外側に先鋭状の返し部１３が形成されている。
【００１８】
このように形成された本体部１１は、保形されたその状態から弾性変形して開閉可能に構成され、本体部１１を閉じた際に、返し部１３同士が隣接されて、車両のフレームなどの被取付部材Ｗに設けられた係止孔ｗ１に挿通させて係止させる係止部１４が構成される。
【００１９】
また段差部の外側角部と返し部１３との間に形成された間隙部１５は、被取付部材Ｗを挟み込むように、僅かに内側に向かって幅狭となるような所要形状に形設されている。
【００２０】
バネ部１２は、本体部１１の階段状に形成された双方の段差部の内側角部から本体部１１の基部に向かって凸湾曲状に突設された一対の所要長さの板状片からなり、本体部１１を閉じた際に一対の板状片でフラットハーネスＦを挟持するようになっている。
【００２１】
以上のように構成された実施の形態１のフラットハーネス用固定具１は、保形された開状態のフラットハーネス用固定具１のバネ部１２にかかるようにフラットハーネスＦをセットする。
そして、フラットハーネス用固定具１を閉じてフラットハーネスＦをバネ部１２で挟持する。次いで、その状態のまま、被取付部材Ｗに間隙部１５を挟み込ませるように、被取付部材Ｗに設けられた係止孔ｗ１に係止部１４を挿通する。
係止孔ｗ１に挿通した係止部１４は、本体部１１の弾性変形によって拡径するように作用して、間隙部１５は被取付部材Ｗを挟み込んで、がたつくことなく強固に止着する（図４参照）。
【００２２】
（実施の形態２）
実施の形態２にかかるフラットハーネス用固定具２は、図５に示すように、実施の形態１で例示したバネ部１２を一方のみに大きく凸湾曲させて設け、対峙する本体部２１の壁面と、その一方のバネ部２２とで、フラットハーネスＦを挟持させるようにした例である。
【００２３】
さらに、実施の形態２にかかるフラットハーネス用固定具２は、バネ部２２を構成する板状片のフラットハーネス当接側表面２２ａと、対峙する本体部２１の壁面２１ａとの双方に、フラットハーネスＦを位置固定させるために、フラットハーネスＦの断面形状に沿うように凹凸状に形成されている。なお、係止部１４の構成は、実施の形態１で例示したフラットハーネス用固定具１の係止部１４と同じ構成であるため、同一符号を付して詳細な説明は省略する。
【００２４】
以上のように構成された実施の形態２のフラットハーネス用固定具２は、保形された開状態のフラットハーネス用固定具２のバネ部２２と対峙する壁面２１ａとに、フラットハーネスＦの凹凸が略一致するようにフラットハーネスＦをセットする。
【００２５】
そして、フラットハーネス用固定具２を閉じてフラットハーネスＦをバネ部２２と本体部２１の壁面２１ａとで挟持する。次いで、その状態のまま、被取付部材Ｗに間隙部１５を挟み込ませるように、被取付部材Ｗに設けられた係止孔ｗ１に係止部１４を挿通する。
係止孔ｗ１に挿通した係止部１４は、本体部２１の弾性変形によって拡径するように作用して、間隙部１５は被取付部材Ｗを挟み込んで、がたつくことなく強固に止着する。
【００２６】
（実施の形態３）
実施の形態３にかかるフラットハーネス用固定具３は、図６〜８に示すように、実施の形態１で例示したフラットハーネス用固定具１に、フラットハーネスＦをスライド可能に支持させた状態を維持させる仮固定部３２を設けた例である。
【００２７】
この仮固定部３２は、間隙部１５の一方に掛止孔３２１を設け、その掛止孔３２１と係合するように、他方の間隙部１５と対峙する内側から返し状の掛止部３２２を突設してなる。この仮固定部３２は、掛止部３２２を掛止孔３２１に挿嵌して掛止めした際に、図８に示すように、フラットハーネスＦがバネ部１２で完全に挟持されない程度になっており、フラットハーネスＦ、実施の形態３にかかるフラットハーネス用固定具３が、相対的に自由にスライドできるようになっている（図９参照）。
【００２８】
以上のように構成された実施の形態３のフラットハーネス用固定具３は、保形された開状態のフラットハーネス用固定具３のバネ部１２にかかるようにフラットハーネスＦをセットする。
そして、フラットハーネス用固定具３を閉じて掛止部３２２を掛止孔３２１に挿嵌して掛止めする。次いで、その状態のまま、所望の位置へ実施の形態３のフラットハーネス用固定具３または、フラットハーネスＦをスライドする（図９参照）。
【００２９】
位置決めが完了したら、被取付部材Ｗに間隙部１５を挟み込ませるように、被取付部材Ｗに設けられた係止孔ｗ１に係止部１４を挿通すると同時にバネ部１２がフラットハーネスＦを挟持する。
係止孔ｗ１に挿通した係止部１４は、本体部３１の弾性変形によって拡径するように作用して、間隙部１５は被取付部材Ｗを挟み込んで、がたつくことなく強固に止着する（図１０参照）。
【００３０】
以上、本実施の形態にかかるフラットハーネス用固定具を説明したが、上述した実施の形態は、本発明の好適な実施の形態の一例を示すものであり、本発明はそれに限定されるものではなく、その要旨を逸脱しない範囲内において、種々変形実施が可能である。
【００３１】
例えば、本実施の形態にかかるフラットハーネス用固定具を用いたフラットハーネス取付方法でも良い。
また、実施の形態２で例示したフラットハーネスＦを位置固定させるため凹凸を、実施の形態１や３で例示したフラットハーネス用固定具の一対のバネ部双方に設けても良い。
【図面の簡単な説明】
【００３２】
【図１】実施の形態１にかかるフラットハーネス用固定具の平面図である。
【図２】図１におけるＸ−Ｘ線に沿える縦断側面図である。
【図３】実施の形態１にかかるフラットハーネス用固定具の閉状態の縦断側面図である。
【図４】実施の形態１にかかるフラットハーネス用固定具を被取付部材に取り付けた状態の縦断側面図である。
【図５】実施の形態２にかかるフラットハーネス用固定具の縦断側面図である。
【図６】実施の形態３にかかるフラットハーネス用固定具の平面図である。
【図７】図６におけるＸ−Ｘ線に沿える縦断側面図である。
【図８】実施の形態３にかかるフラットハーネス用固定具の仮固定状態の縦断側面図である。
【図９】仮固定状態のフラットハーネス用固定具をフラットハーネスにスライドさせた状態を示す説明図である。
【図１０】実施の形態３にかかるフラットハーネス用固定具を被取付部材に取り付けた状態の縦断側面図である。
【符号の説明】
【００３３】
１、２，３  フラットハーネス用固定具
１１、２１、３１  本体部
１２  ２２  バネ部
１３  返し部
１４  係止部
１５  間隙部
２１ａ  壁面
２２ａ  フラットハーネス当接側表面
３２  仮固定部
３２１  掛止孔
３２２  掛止部
Ｗ  被取付部材
ｗ１  係止孔
Ｆ  フラットハーネス
【図１】
2006166642.tif 000003
【図２】
2006166642.tif 000004
【図３】
2006166642.tif 000005
【図４】
2006166642.tif 000006
【図５】
2006166642.tif 000007
【図６】
2006166642.tif 000008
【図７】
2006166642.tif 000009
【図８】
2006166642.tif 000010
【図９】
2006166642.tif 000011
【図１０】
2006166642.tif 000012